(57)【要約】【課題】  インクジェット記録装置において、記録ヘッドを走査して選択的にインクドットを記録用紙に吐出する場合に発生する副産物であるミストが、オペレーション基板等のパターン間もしくはコネクタの素子足間に付着して発生する電気的リークを確実に防止する。【解決手段】  シート部材をオペレーション基板等の上面に配置し、かつ、シート部材の一部に略Ｖ字形状のスリット部を設け、前記オペレーション基板と本体駆動基板を電気的に接続するフレキシブルケーブルを前記スリットに通した後にオペレーション基板に実装されたコネクタに接続し、オペレーション基板上に実装された素子もしくはパターンの上方に前記シート部材を配置し、かつ、前記フレキシブルケーブルの腰を利用してシート部材を基板側に押しつけカバーする。【選択図】  図１
2006159544.tif 000002
【特許請求の範囲】
【請求項１】
インクジェット記録装置で、オペレーション基板等の電気基板を有し、前記電気基板上にコネクタ及び発光素子等の電気部品が電気基板上に設けられた電気接点上に電気的に接続固定されたもので、前記電気基板と駆動回路基板との接続をフレキシブルケーブルで行い、前記電気基板上に実装された前記電気部品の上方をカバーするシート部材を有する記録装置において、
前記シート部材の一部に略Ｖ字形状のスリット穴を設け、前記スリット穴に前記フレキシブルケーブルをシート部材の上面（もしくは表面）から挿入後、前記フレキシブルケーブルと前記電気基板上に実装されたコネクタへの接続を前記シート部材の下面（もしくは裏面）側で行わせた事を特徴とするインクジェット記録装置。
【請求項２】
請求項１記載の記録装置において、前記シート部材と、板金のエッジ等からフレキシブルケーブルを保護するための部材とを兼ねさせた事を特徴とする請求項１記載のインクジェット記録装置。
【発明の詳細な説明】
【技術分野】
【０００１】
本発明は、画像情報に応じて記録ヘッドを走査して記録用紙（媒体）に記録を行う記録装置に関する。
【背景技術】
【０００２】
従来、インクジェット等の記録装置においては、記録ヘッドを主走査方向に走査し、記録用紙を副走査方向に走査して記録用紙に画像を形成するものが多く存在する。
【０００３】
特にインクジェット方式の記録装置においては、近年画像の高解像化が加速し、画像を形成する為に記録ヘッドから吐出するインクドットの大きさもこれに比例して小滴化し、更には、色の再現性を向上させる為にインク色の種類も従来のＹＭＣに追加して増やすものも多く見受けられる。
【０００４】
よって、吐出させるインク滴の総数は画像の高解像度化に比例して増加する傾向にあり、前記大量の小滴ドットを記録用紙上に選択的に吐出することにより高解像度の画像を形成する機種が多く見受けられる。
【０００５】
又、別の従来例としては、特許文献１及び特許文献２をあげることが出来る。
【特許文献１】特開２００１−１０３２１３号公報
【特許文献２】特開２００２−１０３５７３号公報
【発明の開示】
【発明が解決しようとする課題】
【０００６】
しかしながら、前記従来例における記録装置においては、インクドットの小滴化に伴い、インクを小滴に吐出する過程で画像を形成する為の主ドットとは別に副産物的なインクがミスト（霧）状に発生する傾向が有り、この副産物はインクドットが小滴化されるのに比例して増加し、前述のごとく記録用紙上に吐出するインクの総量も増加させている為、前記副産物であるミストは従来に比べて更に大量に発生する事が懸念される。
【０００７】
前記ミストが記録装置内の例えば駆動回路ＰＷＢもしくはオペレーションＰＷＢ等に設けられた電気接点、パターン、コネクタ接続端子等に付着する可能性があり、記録装置の耐久枚数に比例して前記付着量が増加し、ある量を超えた時点で電気的リークを引き起こし記録装置の機能をダウンさせる懸念がある。
【０００８】
これは、モバイル機器等装置の小型度を必要とする場合、装置内部の空間体積を小さく設定しなければならない為、機内に発生した単位体積当たりのミスト濃度はポータブル型の機器に比べて大きくなる事が予想される。
【０００９】
特に、タクトスイッチまたはインジケータであるＬＥＤ等を搭載するパネルＰＷＢは、装置の中央付近にデザインされ、記録ヘッドの走査領域の近傍に配置される場合が多く、前記ミストの影響を強く受けることが考えられる。
【００１０】
前記問題点を解消する為に、例えば保護シール等の別部材を追加する、もしくは、装置の耐久枚数のスペックをダウンする等で対応する事も考えられるが、これは、装置の低コスト化、高機能化か進んでいる現状においては、大きな課題となっている。
【課題を解決するための手段】
【００１１】
本考案によれば、インクジェット記録装置において、シート部材をオペレーション基板等の上面に配置し、かつ、シート部材の一部に略Ｖ字形状のスリット部を設け、前記オペレーション基板と本体駆動基板を電気的に接続するフレキシブルケーブルを前記スリットに通した後にオペレーション基板に実装されたコネクタに接続し、オペレーション基板上に実装された素子もしくはパターンの上方に前記シート部材を配置し、かつ、前記フレキシブルケーブルの腰を利用してシート部材を基板側に押しつけカバーする構成にしたことにより、記録ヘッドを走査して選択的にインクドットを記録用紙に吐出する場合に発生する副産物であるミストが、オペレーション基板等のパターン間もしくはコネクタの素子足間に付着して発生する事が懸念される電気的リークを確実に防止する事が可能となる。
【００１２】
特にモバイル系の小型記録装置において、装置の小型度を必要とする場合、装置内部の空間体積を小さく設定しなければならない為、機内に発生した単位体積当たりのミスト濃度はポータブル型の機器に比べて大きくなる事が予測されるため、本考案における効果は大きく、装置の信頼性を向上させる効果が期待される。
【００１３】
更には前記カバー部材を例えばフレキシブルケーブルを金属シャーシ等のエッジ部から守る為に設けられたエッジカバーシート等と兼用する事で前述したミストに対するカバー効果をテープ等の新たな部材を追加する事無く安価に実現する事が可能となる。
【発明の効果】
【００１４】
以上説明したように、本考案によれば、インクジェット記録装置において、シート部材をオペレーション基板等の上面に配置し、かつ、シート部材の一部に略Ｖ字形状のスリット部を設け、前記オペレーション基板と本体駆動基板を電気的に接続するフレキシブルケーブルを前記スリットに通した後にオペレーション基板に実装されたコネクタに接続し、オペレーション基板上に実装された素子もしくはパターンの上方に前記シート部材を配置し、かつシート部材を基板側に押しつけカバーする構成にしたことにより、記録ヘッドを走査して選択的にインクドットを記録用紙に吐出する場合に発生する副産物であるミストが、オペレーション基板等のパターン間もしくはコネクタの素子足間に付着して発生する事が懸念される電気的リークを確実に防止する事が可能となる。
【００１５】
特にモバイル系の小型記録装置において、装置の小型化を必要とする場合、装置内部の空間体積を小さく設定しなければならない為、機内に発生した単位体積当たりのミスト濃度はポータブル型の機器に比べて大きくなる事が予測されるため、本考案における効果は大きく、装置の信頼性を向上させる効果が期待される。
【００１６】
更には前記カバー部材を例えばフレキシブルケーブルを金属シャーシ等のエッジ部から守る為に設けられたエッジカバーシート等と兼用する事で前述したミストに対するカバー効果をテープ等の新たな部材を追加する事無く安価に実現する事が可能となる。
【発明を実施するための最良の形態】
【００１７】
以下、本発明の実施の形態を図面に基づいて説明する。
【００１８】
（第１の実施例）
図１〜図４を用いて本発明における実施の形態を説明する。
【００１９】
まず図１を用いて本実施例の基本構成について説明する。
【００２０】
図１は本発明の基本構成を表す外観斜視図であり、１はピンチローラホルダ、２はシャーシ、３はピンチローラ、４は用紙検出センサ、５はＬＦモータ、６はＬＦギア、７はＬＦローラ、８はプラテン、９はＬＦ伝達（２段）ギア、１０はＬＦローラ軸受けＬ、１１はＬＦローラ軸受けＲ、１２は排紙ローラ、１３は排紙プーリ、１４は排紙軸受けＲ、１５は排紙軸受けＬ、１６は拍車、１７は排紙ベルト、１８はアイドルプーリ、１９はテンションプーリ、２１は記録ヘッド、２３はオペレーション基板、２４はレキシブルケーブル、２５はエッジカバーシートである。
【００２１】
金属軸で構成されているＬＦローラ７の一部にセラミック粒子等の摩擦部材７ａがスプレーまたは静電塗装等により塗布されており、これと対応する位置において、複数のピンチローラホルダ１にはそれぞれピンチローラ３が複数個回転可能に取り付けられており、ピンチローラホルダ１は装置本体に回転軸（不図示）を中心に回転可能に取り付けられ、ピンチローラバネ（不図示）が前記ピンチホルダ１を下方から付勢することにより、ピンチローラ３は装置本体に回転可能に取り付けられたＬＦローラ７に適正なバネ力で付勢され、記録用紙を狭持し協動回転することで記録用紙を下流方向に搬送する。
【００２２】
前記ＬＦローラ７の右端部にはＬＦ軸受けＲ、左端部にはＬＦ軸受けＬが取り付けられ、ＬＦローラを回転可能に支持している。
【００２３】
ＬＦローラの左端部には大径のＬＦギア６が取り付けられておりＬＦローラ７と一体に回転し、ＬＦモータ５の回転力がモータギア５ａを介してＬＦ伝達ギア９の大ギアに伝達され前記大ギアと同心に一体に形成された小ギアを介して、ＬＦギアと一体に回転するＬＦローラ７に動力を伝達する。
【００２４】
ＬＦローラの下流には排紙ローラ１２が排紙軸受けＲ及び排紙軸受けＬにより回転可能に記録装置に支持されており、排紙ローラ１２には複数の排紙ローラゴム１２ａが一体に形成され、拍車取り付け部材（不図示）に回転可能に取り付けられた拍車１６と記録用紙を狭持し協動回転する。
【００２５】
前述した排紙ローラ１２の左端部には排紙プーリ１３が一体に回転するように取り付けられており、前述ＬＦ伝達ギア９と同心に設けられたプーリ部９ａと前述排紙プーリ１３との間に排紙ベルト１７がかけられており、ＬＦ伝達ギアの回転は排紙ベルト１７により排紙プーリ１３を介して排紙ローラ１２に伝達され、前述ＬＦローラ７及び排紙ローラ１２により用紙を下流方向に搬送し、記録ヘッド２１のノズル部から記録用紙にインクドットを選択的に吐出することにより記録動作を行う。
【００２６】
前述ＬＦローラ７は記録用紙の上面側に設置されており、モータギア５ａのＣＣＷ方向の回転がＬＦ伝達ギア９のＣＷ回転に伝達され、更にＬＦギアのＣＣＷ回転方向に回転が伝達され、ＬＦローラ７がＣＣＷ方向に回転する事で記録用紙を下流方向に搬送する。
【００２７】
一方、排紙ローラ１２は記録用紙の下面側に設置されており、モータギア５ａのＣＣＷ方向の回転がＬＦ伝達ギア９のＣＷ回転に伝達され、この回転が排紙ベルト１７により排紙ローラへのＣＷ回転として伝達される。
【００２８】
前記オペレーション基板２３上にはタクトスイッチ及びＬＥＤ等が実装されており、タクトスイッチにより装置の電源のＯＮ／ＯＦＦ等の操作を行い、ＬＥＤにより装置の操作状態をインジケートさせる。
【００２９】
また、オペレーション基板２３上にはコネクタ２３ａが実装されフレキシブルケーブル２４の端部が電気的に接続されており、フレキシブルケーブル２４はシャーシ２の上部から側面に配回されて、フレキシブルケーブル２４の他端部は駆動回路基板（不図示）と電気的に接続させれ、駆動回路との信号のやり取りを行っている。
【００３０】
なお、図２は、図１におけるフレキシブルケーブル２４付近を抜き出した図である。
【００３１】
図３及び図４を用いて更に詳細に説明する。
【００３２】
図３は、オペレーション基板２３、フレキシブルケーブル２４、エッジガイドシート２５の関係を示す平面図。
【００３３】
図４は、オペレーション基板２３、フレキシブルケーブル２４、エッジガイドシート２５の関係を示す側面図である。
【００３４】
前記フレキシブルケーブル２４は金属部材で構成されたシャーシ２の上を配回されているため、フレキシブルケーブルとシャーシのエッジ部２ｂ及び２ｃとが接触してフレキシブルケーブルを断線する事を防止する目的で、エッジカバーシート２５がシャーシ２の天面に設置されている。
【００３５】
オペレーション基板２３はシャーシ２の天面開口部に取り付けられており、前記エッチカバーシート２５の左端部付近は、オペレーション基板２３に実装されたコネクタ２３ａの上面にカバーしている。
【００３６】
前記エッジカバーシート２５の中央付近には略Ｖ字型の開口部２５ａが設けられており、前記開口部の右側においてフレキシブルケーブル２４はエッジガイドシート２５の上に配回され前記シャーシエッジ２ｂの左近傍において、エッジガイドシート開口部２５ａのスリット部からシートの下側に挿入され、コネクタ２３ａに接続される。
【００３７】
よって、フレキシブルケーブル２４はシャーシエッジ２ｃの右側においてはエッジガイドシートの上側に位置しシャーシエッジから保護され、シャーシエッジ２ｃの左側においてはエッジガイドの下側に位置する事となり、コネクタ２３ａとフレキシブルケーブル２４の接合部はエッジガイドによって上方をカバーされる構成となる。
【００３８】
更には、前記エッジガイドシート２５に設けられた略Ｖ字状開口部２５ａの開講形状の方向は潜り込み側にＶのスリットが開く方向に設けた事によりフレキシブルケーブル底面とＶ字開口部のスリット部の斜面とが接触し、フレキシブルケーブルの腰が前述斜面を介してエッジガイドシートに伝わり、エッジガイドシートを下方（図３中太矢印方向）に押しつける方向に力が働く構成としている。
【００３９】
（第２の実施例）
前述した第１の実施例においては、コネクタ上方をカバーする部材としてエッジガイドシートを流用した例を示したが、これをカバー部材に特化した場合でも本考案における効果には何ら影響を与えない（不図示）。
【図面の簡単な説明】
【００４０】
【図１】本発明の基本構成を表す外観斜視図。
【図２】図１におけるフレキシブルケーブル２４付近を抜き出した図。
【図３】オペレーション基板２３、フレキシブルケーブル２４、エッジガイドシート２５の関係を示す平面図。
【図４】オペレーション基板２３、フレキシブルケーブル２４、エッジガイドシート２５の関係を示す側面図。
【符号の説明】
【００４１】
１  ピンチローラホルダ
２  シャーシ
３  ピンチローラ
４  用紙検出センサ
５  ＬＦモータ
６  ＬＦギア
７  ＬＦローラ
８  プラテン
９  ＬＦ伝達ギア
１０  ＬＦローラ軸受けＬ
１１  ＬＦローラ軸受けＲ
１２  排紙ローラ
１３  排紙プーリ
１４  排紙軸受けＲ
１５  排紙軸受けＬ
１６  拍車
１７  排紙ベルト
１８  アイドルプーリ
１９  テンションプーリ
２０  排紙プレッシングユニット
２１  記録ヘッド
２２  記録用紙
２３  オペレーション基板
２４  フレキシブルケーブル
２５  エッジガイドシート
【図１】
2006159544.tif 000003
【図２】
2006159544.tif 000004
【図３】
2006159544.tif 000005
【図４】
2006159544.tif 000006